(57)【特許請求の範囲】
【請求項１】
自動販売機の本体に回動可能に枢支され、本体前面を開閉可能な自動販売機の扉装置において、
前面に金銭開口部を備えた扉本体と、
金銭処理装置と、接客装置と、この金銭処理装置及び接客装置を取り付けるユニット本体とを有し、前記扉本体と別体で組立可能な金銭処理ユニットと、
前記ユニット本体の前面側に露出するように取り付けられた前記接客装置が前記金銭開口部に臨むとともに前記ユニット本体が前記扉本体の背面側から前記金銭開口部を覆う状態で該金銭処理ユニットを前記扉本体の背面側に装着する装着手段とを備えたことを特徴とする自動販売機の扉装置。
【請求項２】
前記接客装置は金額表示器であることを特徴とする請求項１に記載の自動販売機の扉装置。
【請求項３】
前記装着手段によって前記金銭処理ユニットを前記扉本体に取り付けたとき、前記金銭開口部と前記金銭処理ユニットとの隙間を塞ぐシール部材を備えたことを特徴とする請求項１または請求項２に記載の自動販売機の扉装置。
【請求項４】
前記金銭処理ユニットは、扉装置の開閉操作を行う為の操作レバーと当該操作レバーの操作に連動して前記本体と扉装置とのロックを行うロック機構とを備え、この操作レバーとロック機構とは前記ユニット本体に取り付けられるとともに、前記金銭処理ユニットを前記扉本体に装着したとき、前記ユニット本体の前面側に露出するように取り付けられた前記操作レバーが前記金銭開口部に臨むように構成されていることを特徴とする請求項１乃至請求項３に記載の自動販売機の扉装置。
【請求項５】
前記ユニット本体は、前記金銭処理装置の前面及び左右側面を覆う壁面を有して形成されていることを特徴とする請求項１乃至請求項４に記載の自動販売機の扉装置。
【請求項６】
前記金銭処理ユニットは、背面に前記ユニット本体の左右側面壁を接続するように配設された把持部材を備えたことを特徴とする請求項５に記載の自動販売機の扉装置。
【請求項７】
前記金銭処理ユニットは扉装置の開放端部に装着され、扉装置を閉じたときに前記扉本体と前記本体との間に生じる扉装置の開放端部側の隙間を覆うガード部材を前記ユニット本体の前記開放端部側の側面壁に備えたことを請求項５または請求項６に記載の自動販売機の扉装置。
【請求項８】
前記金銭処理ユニットは、前記ユニット本体の左側面壁から右側面壁に渡って配設され前記金銭処理装置の背面を覆うカバー部材を備え、当該カバー部材は、施錠手段を有し、該施錠手段による施錠を解除したとき前記金銭処理装置の背面を解放可能に構成されていることを特徴とする請求項５乃至請求項７に記載の自動販売機の扉装置。
【請求項９】
前記金銭処理ユニットは扉装置の開放端部に装着されるとともに、前記ユニット本体は前記金銭処理装置の前面および左右側面を覆う壁面を有して形成され、前記ロック機構は、前記金銭処理装置よりも前記扉装置の開放側の側端に近い位置においてロックを行うものであって、前記扉本体の開放側の側端から遠い方の前記ユニット本体の側面壁を前記本体と連結させる連結手段を備え、当該連結手段は、前記操作レバーの操作に連動して連結および連結解除動作することを特徴とする請求項４に記載の自動販売機の扉装置。
【請求項１０】
自動販売機の本体に回動可能に枢支され、本体前面を開閉可能な自動販売機の扉装置において、
前面に金銭開口部を備えた扉本体と、
金銭処理装置と、接客装置と、この金銭処理装置及び接客装置を取り付けるユニット本体とを有し、前記扉本体と別体で組立可能な金銭処理ユニットと、
前記ユニット本体の前面側に露出するように取り付けられた前記接客装置が前記金銭開口部に臨むとともに前記ユニット本体が前記扉本体の背面側から前記金銭開口部を覆う状態で該金銭処理ユニットを前記扉本体の背面側に装着する装着手段とを備え、
前記扉本体はその前面に展示開口部を更に備えるとともに、透明パネル、この透明パネルの前面に露出して取付られた商品選択ボタン、サンプル商品の展示装置、サンプル商品を照明する照明装置、該透明パネルと該展示装置と該照明装置とを取り付けるユニット本体を有し、前記扉本体と別体で組立可能な展示ユニットと、前記透明パネルに取り付けられた前記商品選択ボタンが前記展示開口部に臨むとともに前記透明パネルが前記展示開口部を前記扉本体の背面側から覆う状態で該展示ユニットを前記扉本体の背面側に装着する装着手段とを備えたことを特徴とする自動販売機の扉装置。
【請求項１１】
前記装着手段によって前記展示ユニットを前記扉本体に取り付けたとき、前記展示開口部と前記展示ユニットとの隙間を塞ぐシール部材を備えたことを特徴とする請求項１０に記載の自動販売機の扉装置。
【請求項１２】
前記透明パネルは前記ユニット本体の前面を覆うように取り付けられ、前記透明パネルが前記ユニット本体に取り付けられたとき前記透明パネルと前記ユニット本体との隙間をシールするユニットシール部材を備えたことを特徴とする請求項１０または請求項１１に記載の自動販売機の扉装置。
【請求項１３】
前記透明パネルは前記ユニット本体に弾性部材によって着脱可能に取付保持されることを特徴とする請求項１０乃至請求項１２に記載の自動販売機の扉装置。
【請求項１４】
前記ユニット本体は、前記展示ユニットの背面側を開閉可能な展示扉を備え、前記照明装置は当該展示扉に取り付けられていることを特徴とする請求項１０乃至請求項１３に記載の自動販売機の扉装置。
【請求項１５】
前記扉本体の背面側に、前記展示ユニットを装着位置に案内するガイド手段を設けたことを特徴とする請求項１０乃至請求項１４に記載の自動販売機の扉装置。
【請求項１６】
自動販売機の本体に回動可能に枢支され、本体前面を開閉可能な自動販売機の扉装置において、
前面に金銭開口部を備えた扉本体と、
金銭処理装置と、接客装置と、この金銭処理装置及び接客装置を取り付けるユニット本体とを有し、前記扉本体と別体で組立可能な金銭処理ユニットと、
前記ユニット本体の前面側に露出するように取り付けられた前記接客装置が前記金銭開口部に臨むとともに前記ユニット本体が前記扉本体の背面側から前記金銭開口部を覆う状態で該金銭処理ユニットを前記扉本体の背面側に装着する装着手段とを備え、
前記扉本体はその前面に広告開口部を更に備えるとともに、透明パネル、宣伝ポスターや装飾パネル等の広告部材、制御装置等の電装部品、透明パネルと広告部材と電装部品とを取り付けるユニット本体であって、前面側に広告部材配設部、背面側に電装部品配設部、前記広告部材配設部の前方に前記透明パネルを配設する透明パネル配設部を備えたユニット本体を有し、前記扉本体と別体で組立可能な広告ユニットと、前記透明パネルが前記広告開口部を前記扉本体の背面側から覆う状態で該広告ユニットを前記扉本体の背面側に装着する装着手段とを備えたことを特徴とする自動販売機の扉装置。
【請求項１７】
前記扉本体の背面側に、前記広告ユニットを装着位置に案内するガイド手段を設けたことを特徴とする請求項１６に記載の自動販売機の扉装置。
【請求項１８】
前記装着手段によって前記広告ユニットを前記扉本体に取り付けたとき、前記広告開口部と前記広告ユニットとの隙間を塞ぐシール部材を備えたことを特徴とする請求項１６または請求項１７に記載の自動販売機の扉装置。
【請求項１９】
前記透明パネルは前記ユニット本体に弾性部材によって着脱可能に取付保持されることを特徴とする請求項１６乃至請求項１８に記載の自動販売機の扉装置。
【発明の詳細な説明】
【０００１】
【発明の属する技術分野】
本発明は、自動販売機の本体に回動可能に枢支され、本体前面を開閉可能な自動販売機の扉装置に関する。
【０００２】
【従来の技術】
従来より、自動販売機の扉装置には商品選択ボタンを配した透明パネル、サンプル商品等を照明するための照明装置、投入された金銭を選別処理するための金銭処理装置、利用者が商品を購入する際に視認或いは操作するための接客装置、扉装置を本体にロックするためのロック装置等のパーツが配設されているが、これらのパーツは扉本体に設けられた取付部に各々別個に取付組立されていた。
【０００３】
【発明が解決しようとする課題】
しかしながら、こうした自動販売機の扉装置においては、各パーツを扉本体に直接取付組立する構成であるために、各パーツの取付作業を同時に行うことができず、組立効率の悪いものとなっていた。また、近年、扉装置の樹脂パネル部や扉本体の比較的柔らかい部分を破って金銭処理装置等のパーツを盗み取る悪戯が増加しており、各パーツが各々別個に取り付けられている構成の扉装置の場合には局部的な破壊でも容易に取り外されてしまうケースがあった。
【０００４】
したがって、本発明は、扉装置の組立作業を容易にするとともに、破壊行為等の悪戯による被害を低減することのできる自動販売機の扉装置を提供するものである。
【０００５】
【課題を解決するための手段】
請求項１の発明に係る自動販売機の扉装置は、自動販売機の本体に回動可能に枢支され、本体前面を開閉可能な自動販売機の扉装置において、前面に金銭開口部を備えた扉本体と、金銭処理装置と、接客装置と、この金銭処置装置及び接客装置を取り付けるユニット本体とを有し、前記扉本体と別体で組立可能な金銭処理ユニットと、前記ユニット本体の前面側に露出するように取り付けられた前記接客装置が前記金銭開口部に臨むとともに前記ユニット本体が前記扉本体の背面側から前記金銭開口部を覆う状態で該金銭処理ユニットを前記扉本体の背面側に装着する装着手段とを備えたことを特徴とするものである。
【０００６】
この構成によれば、金銭処理装置と接客装置とを備えた金銭処理ユニットを別個に組立られるので、扉装置の別のパーツの組立と並行して組立作業でき、さらに、金銭処理ユニットを扉本体に装着するだけでユニット本体が金銭開口部を覆うとともに接客装置が金銭開口部に臨む状態で配設されるので、扉装置の組立作業の効率が良い。また、金銭処理装置及び接客装置をユニット本体に取り付けたユニット体で構成しているので、悪戯で扉装置が破壊されても金銭処理装置を扉装置から引き出すことが困難であるとともに、ユニット本体を頑強に構成すれば扉本体の強度を上げることなく金銭処理装置付近の破壊を防止することができる。
【０００７】
請求項２の発明に係る自動販売機の扉装置は、請求項１の構成において、前記接客装置は金額表示装置であることを特徴とするものである。
【０００８】
この構成によれば、金銭表示装置と金銭処理装置とのハーネス処理が金銭処理ユニット４内で別個に行えるので、扉装置組立時のハーネス処理作業が容易になる。
【０００９】
請求項３の発明に係る自動販売機の扉装置は、請求項１または請求項２の構成において、前記装着手段によって前記金銭処理ユニットを前記扉本体に取り付けたとき、前記金銭開口部と前記金銭処理ユニットとの隙間を塞ぐシール部材を備えたことを特徴とするものである。
【００１０】
この構成によれば、金銭処理ユニットを取り付けるだけで金銭開口部のシールがなされるので、組立作業が容易でなおかつ金銭開口部からの扉装置内への雨水やほこりの進入を防ぐことができる。
【００１１】
請求項４の発明に係る自動販売機の扉装置は、請求項１乃至請求項３の構成において、前記金銭処理ユニットは、扉装置の開閉操作を行う為の操作レバーと当該操作レバーの操作に連動して前記本体と扉装置とのロックを行うロック機構とを備え、この操作レバーとロック機構とは前記ユニット本体に取り付けられるとともに、前記金銭処理ユニットを前記扉本体に装着したとき、前記ユニット本体の前面側に露出するように取り付けられた前記操作レバーが前記開口部に臨むように構成されていることを特徴とするものである。
【００１２】
この構成によれば、操作レバー及びロック機構も金銭処理ユニットに取り付けられ、金銭処理ユニットを扉本体に装着するだけで操作レバーが金銭開口部に位置した状態で組立られるので、組立作業がより容易になるとともに、ユニット本体を頑強に構成すれば扉本体の強度を上げることなくロック機構付近の破壊を防止することができ、扉のこじ開けを阻止できる。
【００１３】
請求項５の発明に係る自動販売機の扉装置は、請求項１乃至請求項４の構成において、前記ユニット本体は、前記金銭処理装置の前面及び左右側面を覆う壁面を有して形成されていることを特徴とするものである。
【００１４】
この構成によれば、金銭処理装置の盗難をより強固に防ぐことができる。
【００１５】
請求項６の発明に係る自動販売機の扉装置は、請求項５の構成において、前記金銭処理ユニットは、背面に前記ユニット本体の左右側面壁を接続するように配設された把持部材を備えたことを特徴とするものである。
【００１６】
この構成によれば、左右側面壁を接続する把持部材によって金銭処理ユニットを容易に持ち運びすることができ、扉本体への装着作業がいっそう容易になる。
【００１７】
請求項７の発明に係る自動販売機の扉装置は、請求項５または請求項６の構成において、前記金銭処理ユニットは扉装置の開放端部に装着され、扉装置を閉じたときに前記扉本体と前記本体との間に生じる扉装置の開放端部側の隙間を覆うカバー部材を前記ユニット本体の前記開放端部側の側面壁に備えたことを特徴とするものである。
【００１８】
この構成によれば、カバー部材によってバール等による扉装置のこじ開けを防ぐことができると共に、カバー部材が金銭処理ユニットのユニット本体に設けているので、ユニット本体に取り付けられた金銭処理装置の盗難がより困難になる。
【００１９】
請求項８の発明に係る自動販売機の扉装置は、請求項５乃至請求項７の構成において、前記金銭処理ユニットは、前記ユニット本体の左側面壁から右側面壁に渡って配設され前記金銭処理装置の背面を覆うカバー部材を備え、当該カバー部材は、施錠手段を有し、該施錠手段による施錠を解除したとき前記金銭処理装置の背面を開放可能に構成されていることを特徴とするものである。
【００２０】
この構成によれば、扉装置がこじ開けられても、金銭処理装置の背面がカバー部材によって覆われているとともに施錠されているので、金銭盗難の被害を防ぐことができる。また、金銭管理者と商品補充者が異なる場合には、商品補充者による金銭処理装置への悪戯も防ぐことができる。
【００２１】
請求項９の発明に係る自動販売機の扉装置は、請求項４の構成において、前記金銭処理ユニットは扉装置の開放端部に装着されるとともに、前記ユニット本体は前記金銭処理装置の前面および左右側面を覆う壁面を有して形成され、前記ロック機構は、前記金銭処理装置よりも前記扉本体の側端に近い位置においてロックを行うものであって、前記扉本体の側端から遠い方の前記ユニット本体の側面壁を前記本体と連結させる連結手段を備え、当該連結手段は、前記操作レバーの操作に連動して連結および連結解除動作することを特徴とするものである。
【００２２】
この構成によれば、金銭処理装置の一側面側は、扉装置のロック機構によりロックされ、なおかつ金銭処理装置の他側面側は、連結手段によって本体に連結されるので、金銭処理装置がより強固に保護される。
【００２３】
請求項１０の発明に係る自動販売機の扉装置は、自動販売機の本体に回動可能に枢支され、本体前面を開閉可能な自動販売機の扉装置において、前面に金銭開口部を備えた扉本体と、金銭処理装置と、接客装置と、この金銭処理装置及び接客装置を取り付けるユニット本体とを有し、前記扉本体と別体で組立可能な金銭処理ユニットと、前記ユニット本体の前面側に露出するように取り付けられた前記接客装置が前記金銭開口部に臨むとともに前記ユニット本体が前記扉本体の背面側から前記金銭開口部を覆う状態で該金銭処理ユニットを前記扉本体の背面側に装着する装着手段とを備え、前記扉本体はその前面に展示開口部を更に備えるとともに、透明パネル、この透明パネルの前面に露出して取付られた商品選択ボタン、サンプル商品の展示装置、サンプル商品を照明する照明装置、該透明パネルと該展示装置と該照明装置とを取り付けるユニット本体を有し、前記扉本体と別体で組立可能な展示ユニットと、前記透明パネルに取り付けられた前記商品選択ボタンが前記展示開口部に臨むとともに前記透明パネルが前記展示開口部を前記扉本体の背面側から覆う状態で該展示ユニットを前記扉本体の背面側に装着する装着手段とを備えたことを特徴とするものである。
【００２４】
この構成によれば、金銭処理ユニットに加えて、透明パネルとこの透明パネルに取付られた商品選択ボタンとサンプル商品の展示装置とを備えた展示ユニットを別個に組立られるので、扉装置の別のパーツの組立と並行して組立作業でき、さらに、展示ユニットを扉本体に装着するだけで透明パネルが展示開口部を覆うとともに商品選択ボタンが展示開口部に配設されるので、扉装置の組立作業の効率が上がる。また、万一悪戯で透明パネルが破壊されたときにも展示ユニットを扉本体から取り外すことで透明パネルの交換作業を容易に行える。
【００２５】
請求項１１の発明に係る自動販売機の扉装置は、請求項１０の構成において、前記装着手段によって前記展示ユニットを前記扉本体に取り付けたとき、前記展示開口部と前記展示ユニットとの隙間を塞ぐシール部材を備えたことを特徴とするものである。
【００２６】
この構成によれば、展示ユニットを取り付けるだけで展示開口部のシールがなされるので、組立作業が容易でなおかつ展示開口部からの扉装置内への雨水やほこりの進入を防ぐことができる。
【００２７】
請求項１２の発明に係る自動販売機の扉装置は、請求項１０または請求項１１の構成において、前記透明パネルは前記ユニット本体の前面を覆うように取り付けられ、前記透明パネルが前記ユニット本体に取り付けられたとき前記透明パネルと前記ユニット本体との隙間をシールするユニットシール部材を備えたことを特徴とするものである。
【００２８】
この構成によれば、ユニット本体内に雨水が進入しにくくなるので、ユニット本体に取り付けられた照明装置等の電装部品が濡れてしまうことを確実に防止できる。
【００２９】
請求項１３の発明に係る自動販売機の扉装置は、請求項１０乃至請求項１２の構成において、前記透明パネルは前記ユニット本体に弾性部材によって着脱可能に取付保持されることを特徴とするものである。
【００３０】
この構成によれば、透明パネルをユニット本体から容易に着脱できるので、透明パネルが破損した際の取り替えをより容易に行うことができる。
【００３１】
請求項１４の発明に係る自動販売機の扉装置は、請求項１０乃至請求項１３の構成において、前記ユニット本体は、前記展示ユニットの背面側を開閉可能な展示扉を備え、前記照明装置は当該展示扉に取り付けられていることを特徴とするものである。
【００３２】
この構成によれば、展示扉によって展示ユニット内の清掃作業が容易に行えるとともに、照明装置が展示扉に取り付けられているので、照明装置の交換作業が容易に行える。
【００３３】
請求項１５の発明に係る自動販売機の扉装置は、請求項１０乃至請求項１４の構成において、前記扉本体の背面側に、前記展示ユニットを装着位置に案内するガイド手段を設けたことを特徴とするものである。
【００３４】
この構成によれば、ガイド手段によって展示ユニットが装着位置に案内されるので、装着作業が容易に行える。
【００３５】
請求項１６の発明に係る自動販売機の扉装置は、自動販売機の本体に回動可能に枢支され、本体前面を開閉可能な自動販売機の扉装置において、前面に金銭開口部を備えた扉本体と、金銭処理装置と、接客装置と、この金銭処理装置及び接客装置を取り付けるユニット本体とを有し、前記扉本体と別体で組立可能な金銭処理ユニットと、前記ユニット本体の前面側に露出するように取り付けられた前記接客装置が前記金銭開口部に臨むとともに前記ユニット本体が前記扉本体の背面側から前記金銭開口部を覆う状態で該金銭処理ユニットを前記扉本体の背面側に装着する装着手段とを備え、前記扉本体はその前面に広告開口部を更に備えるとともに、透明パネル、宣伝ポスターや装飾パネル等の広告部材、制御装置等の電装部品、透明パネルと広告部材と電装部品とを取り付けるユニット本体であって、前面側に広告部材配設部、背面側に電装部品配設部、前記広告部材配設部の前方に前記透明パネルを配設する透明パネル配設部を備えたユニット本体を有し、前記扉本体と別体で組立可能な広告ユニットと、前記透明パネルが前記広告開口部を前記扉本体の背面側から覆う状態で該広告ユニットを前記扉本体の背面側に装着する装着手段とを備えたことを特徴とするものである。
【００３６】
この構成によれば、金銭処理ユニットに加えて、透明パネルと広告部材と電装部品とを備えた広告ユニットを別個に組み立てられるので、扉装置の別のパーツの組み立てと並行して組み立て作業ができ、さらに、広告ユニットを扉本体に装着するだけで透明パネルが広告開口部を覆うので扉装置の組立作業効率が上がる。また、万一悪戯等で透明パネルが破壊されたときにも、広告ユニットを扉本体から取り外すことで透明パネルの交換作業を容易に行える。
【００３７】
請求項１７の発明に係る自動販売機の扉装置は、請求項１６の構成において、前記扉本体の背面側に、前記広告ユニットを装着位置に案内するガイド手段を設けたことを特徴とするものである。
【００３８】
この構成によれば、ガイド手段によって広告ユニットが装着位置に案内されるので、装着作業が容易に行える。
【００３９】
請求項１８の発明に係る自動販売機の扉装置は、請求項１６または請求項１７の構成において、前記装着手段によって前記広告ユニットを前記扉本体に取り付けたとき、前記広告開口部と前記広告ユニットとの隙間を塞ぐシール部材を備えたことを特徴とするものである。
【００４０】
この構成によれば、、広告ユニットを取り付けるだけで広告開口部のシールがなされるので、組立作業が容易でなおかつ広告開口部からの雨水やほこりの進入を防ぐことができる。
【００４１】
請求項１９の発明に係る自動販売機の扉装置は、請求項１６乃至請求項１８の構成において、前記透明パネルは前記ユニット本体に弾性部材によって着脱可能に取付保持されることを特徴とするものである。
【００４２】
この構成によれば、透明パネルをユニット本体から容易に着脱できるので、透明パネルが破損した際の取り替え作業が容易になる。
【００４３】
【発明の実施の形態】
以下、本発明について図面を参照しながら詳細に説明する。
【００４４】
図１は本発明の扉装置１の正面図である。
【００４５】
図１に示すように、本発明の扉装置１は、自動販売機の本体に左側端がヒンジ６で回動自在に軸支された扉本体２と、扉本体２の背面側から装着された金銭処理ユニット４と、同じく扉本体２の背面側から装着された展示ユニット３と、展示ユニット３の下方に設けられ扉本体２に取り付けられた広告ユニット９と、この広告ユニット９の下方に設けられた商品取り出し口２５と、商品取り出し口２５の右側に配設された返却口部２３とを備えて構成されている。
【００４６】
扉本体２は、図１に示すように展示ユニット３に対応して開口形成された展示開口部２２と、金銭処理ユニット４に対応して開口形成された金銭開口部２１と、広告ユニット９に対応して開口形成された広告開口部２４を備えている。
【００４７】
ここで、金銭処理ユニット４について説明する。
【００４８】
金銭処理ユニット４は、図１または図２に示すように、発光素子等で電気的に金額を表示する金額表示装置４１と、貨幣を選別処理する金銭処理装置としての貨幣処理装置４４と、硬貨を選別処理する金銭処理装置としての硬貨処理装置４２と、貨幣投入口装置４４ａと、金銭投入口装置４３と、硬貨返却口装置４８と、後述するロック機構５２（図４参照）と、このロック機構５２を操作するとともに扉装置１を開閉する際の取っ手となる操作レバー５１と、これらの部品を取付保持するユニット本体４５とを備えて構成されている。
【００４９】
ユニット本体４５は板金部材を折り曲げ形成したものであり、前記各部品が取り付けられる前面壁４５ａと、前面壁４５ａに取り付けられた各部品の側面を覆うように平面断面コ字状に後方に立ち上げ形成された左右側面壁４５ｃ、４５ｂと、この左右側面壁４５ｃ、４５ｂを上下２カ所において横断するように接続固定された把持シャフト４５ｆと、左右側面壁４５ｃ、４５ｂと同様に後方に立ち上げ形成された上下壁４５ｄ、４５ｅとを備え、この上下壁４５ｄ、４５ｅには金銭処理ユニット４を扉本体２に装着する装着手段としての上下取付フランジ４０１、４０２がそれぞれ形成されている。この上取付フランジ４０１は図３（ｂ）に示すように、フック状に折り曲げ形成されており、一方扉本体２には上下取付フランジ４０１、４０２と係合する上下取付梁２６、２７が配設されている。
【００５０】
また、図３（ｂ）に示すように前面壁４５ａに取り付けられる部品の内、顧客が商品購入の際に視認及び操作する接客装置としての金額表示装置４１と、貨幣投入口装置４４ａと、金銭投入口装置４３と、硬貨返却口装置４８と、オペレーターが扉装置を開放する際に操作する操作レバー５１は、図３に示すようにその一部が前面壁４５ａを貫通して配設され前面壁４５ａの前方に一部が露出した状態で取付固定されている。
【００５１】
また、図４に示すようにユニット本体４５の右側面壁４５ｂの後端外側にはガード部材７が後方へ延出するように取り付けられており、ユニット本体４５の右側面壁４５ｂの後端内側にはロック機構５２が上下動可能に構成されている。このロック機構５２は図４に示すように操作レバー５１の後端に連動可能に接続されており、操作レバー５１の回動操作によって上下動可能に構成されたものである。そして、ロック機構５２の後面には、本体８に配設されたロックプレート８１と係合する係合孔（図示せず）が開孔形成されており、ロック機構５２とロックプレート８１が係脱することにより扉装置１と本体８とがロック・アンロック可能に構成されている。
【００５２】
このようにして構成された金銭処理ユニット４を組立て扉本体２に装着する際の動作について説明する。
【００５３】
まず、ユニット本体４５に硬貨処理装置４２等の金銭処理ユニット４の構成部品を前面壁４５ａに取付けて金銭処理ユニットを組み立てる。そして、完成した金銭処理ユニット４の把持シャフト４５ｆを持ち、まず上取付フランジ４０１を扉本体２の背面側から上取付梁２６に引っかける。このとき金銭処理ユニット４の上下方向の位置決めがなされるため、下取付フランジ４０２が下取付梁２７に当接位置する。そしてこの状態で、上下取付フランジ４０１、４０２と、上下取付梁２６、２７とをそれぞれねじ止め固定すれば取付が完了する。そしてこのとき、図１に示すようにユニット本体４５の前面壁４５ａが扉本体２の金銭開口部２１を覆う状態で取付られるとともに、この金銭開口部２１の周囲には図４に示すように発泡ウレタン等で形成されたシール部材２１ａが張り付けられているため、金銭処理ユニット４を取り付けたときに、シール部材２１ａが扉本体２と前面壁４５ａとに挟まれた状態となる。これにより、金銭開口部２１のシールがなされるため、扉装置１内部への雨水やほこりの進入が防止される。またこのとき、ユニット本体４５の前面壁４５ａを貫通して配設された金額表示装置４１と、貨幣投入口装置４４ａと、金銭投入口装置４３と、操作レバー５１の前方に露出した部分は金銭開口部２１に臨む状態で取り付けられる。すなわち、図１に示されるように扉装置１の前方から視認あるいは操作可能な状態に取り付けられる。
【００５４】
なお、本実施の形態では、図１に示すように接客装置である硬貨返却口装置４８は、金銭開口部２１には位置させず、金銭開口部２１と別個に開口形成した返却口部２３に位置させ、扉装置１の前方から釣銭等の取り出しが可能となるように構成しているが、金銭開口部２１を上下方向に大きく形成して、硬貨返却口装置４６も金銭開口部２１内に位置させるようにすることも可能である。この場合には返却口部２３の構成が不要になる。
【００５５】
また、このようにして金銭処理ユニット４を扉本体２に取り付けた状態では、図４に示すようにユニット本体４５に取り付けられたガード部材７が扉本体２の右側面の外側から後方に延出する状態で固定される。したがって、図４（ａ）に示すように扉装置１を閉じた状態ではこのガード部材が、扉装置１の開放端と本体８の開放端とに生じる隙間Ｓを覆う状態となる。
【００５６】
以上の如く金銭処理ユニット４を構成することで、扉本体２と離れた場所でも金銭回りやロック回りのパーツを組立作業することができるので、扉装置１の他の部品の組立作業と並行して組立作業を行うことができ、扉装置１の組立作業の効率が良い。また、金銭処理ユニット４を扉本体２に装着するだけで金額表示装置４１、貨幣投入口装置４４ａ、金銭投入口装置４３の接客装置と、操作レバー５１が金銭開口部２１内の所定位置に配設されるとともに、金銭開口部２１周囲のシールもなされるので、扉装置１の組立作業の効率がよりいっそう向上する。また、金銭処理に関する一連の装置を平面断面コ字状に前面から覆うようなユニット本体４５に取り付けてユニット体を構成しているので、悪戯で扉装置１の一部が破られても貨幣処理装置４４や硬貨処理装置４２等を扉装置１から引き出すことが困難であるとともに、ユニット本体４５を頑強に構成すれば扉本体２の強度を上げなくても貨幣処理装置４４や硬貨処理装置４２付近の破壊を防止することができる。
【００５７】
また、図４に示すように操作レバー５１及びロック機構５２もユニット本体４５によって前方から覆われた状態となっているため、扉本体２の強度を上げることなくロック機構５２の破壊を防止することができ、扉装置１のこじ開けを阻止することができる。さらに、ユニット本体４５に取り付けられたガード部材７が、扉装置１の開放端と本体８の開放端とに生じる隙間Ｓを覆うため、この隙間Ｓへのバール等の差込による扉装置１のこじ開けも防止できる。
【００５８】
また、金銭処理ユニット４はユニット本体４５を扉本体２にねじ止めすることにより装着可能に構成しているため、金銭処理ユニット４の着脱を容易に行えるとともに、上下２カ所に把持シャフト４５ｆが形成されているため、金銭処理ユニット４を容易に持ち運びすることができる。
【００５９】
なお、上記実施の形態では、金額表示装置４１と、貨幣投入口装置４４ａと、金銭投入口装置４３の接客装置を金銭開口部２１に臨ませるように構成した例を示したが、金銭開口部２１に臨ませる接客装置はこれに限られたものではなく、上述の通り金銭開口部２１を大きく形成すれば硬貨返却口装置４８も臨ませるように構成できる。また、本発明の接客装置とは購買者が商品購入の際に視認或いは操作するための装置を示すものであり、例えば金銭を返却させるための返却レバー等も含まれ、上記の構成に限られたものではない。
【００６０】
さらに、これら接客装置を全て金銭処理ユニット４５に納めて金銭開口部２１より視認あるいは操作可能に構成しなくてもよく、上記金額表示装置４１、貨幣投入口装置４４ａ、金銭投入口装置４３、硬貨返却口装置４８等の接客装置のうち、少なくとも１つの接客装置を金銭処理ユニット４に納めて構成すれば上記作用効果を奏するものである。この場合、接客装置として、電装部品である金銭表示装置４１を金銭処理ユニット４に納めて構成した場合には、同じく電装部品である貨幣処理装置４４および硬貨処理装置とともに金銭関係のハーネス処理が金銭処理ユニット４内で行えるので、扉装置１組立時のハーネス処理作業が容易になり、特に効果が大きい。
【００６１】
また、上記実施の形態では、金銭処理装置として、貨幣処理装置４４と硬貨処理装置４２の２つの装置を構成した例を示したが、取り扱い商品や設置環境に応じて貨幣処理装置４４或いは硬貨処理装置４２のいずれか一方の装置のみで構成してもよい。
【００６２】
また、上記実施の形態では、金銭処理ユニット４を扉本体２に装着した際に、ユニット本体４５の前面壁４５ａが扉本体２の背面に取り付けられたシール部材２１を押しつけて金銭開口部２１のシールを行う例を示したが、前面壁４５ａの表面に装飾用の樹脂プレート等を配設して、金銭処理ユニット４を扉本体２に装着した際に、この樹脂プレート等を介してシール部材２１を押圧して金銭開口部２１のシールを行うようにしても良い。
【００６３】
次に、ユニット本体４５の背面側を覆うカバー部材４６を備えて構成した金銭処理ユニット４の例について図５を用いて説明する。
【００６４】
図５に示す金銭処理ユニット４は、ユニット本体４５の背面側を覆うカバー部材４６を備えている。このカバー部材４６は、板金部材を折り曲げて形成したカバー本体４６ａと、カバー本体４６ａの右端上下３カ所に配設されたヒンジ４６ｂと、カバー本体４６ａの左端中央付近に配設された錠４６ｃとを備えている。
【００６５】
カバー本体４６ａは、幅方向はユニット本体４５の左側面壁４５ｃから右側面壁４５ｂに渡って形成され、縦方向はユニット本体４５の上壁４５ｄから下壁４５ｅに渡って形成され、ユニット本体４５の背面略全域を覆うように形成されている。このカバー本体４６ａは、ヒンジ４６ｂによってユニット本体４５の背面に開閉可能に取り付け支持されるとともに、錠４６ｃによって施錠可能に構成されている。
【００６６】
このように、金銭処理ユニット４に施錠可能なカバー部材４６を備えて構成した場合には、悪戯によって扉装置１がこじ開けられても、硬貨処理装置４２や貨幣処理装置４４の背面がカバー部材４６によって覆われているとともに錠４６ｃにより施錠されているので、金銭盗難の被害を防ぐことができる。また、金銭管理者と商品補充者が異なる場合には、金銭管理者が錠４６ｃの鍵（図示せず）を保持し管理することで、商品補充者による硬貨処理装置４２や貨幣処理装置４４への悪戯を防ぐことができる。
【００６７】
なお、上記の例では、カバー部材４６がユニット本体４５の背面全域を覆うように形成した例を示したが、カバー部材４６は、特にユニット本体４５の背面全域を覆うものでなくてもよく、硬貨処理装置４２や貨幣処理装置４４の背面部分のみを覆うように形成しても有効である。
【００６８】
次に、上記金銭処理ユニット４において、ユニット本体４５の左側面壁４５ｃを自動販売機の本体８と連結可能に構成した例を、図６および図７を用いて説明する。
【００６９】
図６に示すように、この金銭処理処理ユニット４は、ユニット本体４５の左側面壁４５ｃと本体８とを連結する連結手段４７を備えている。この連結手段４７は、本体８に取り付けられた断熱扉８２に設けられた連結フック４７ａと、この連結フック４７ａを受け入れ係合する係合孔（図示せず）を備えた連結アングル４７ｂと、この連結アングル４７ｂと係合して上下動させるレバー４７ｃとを備えている。
【００７０】
連結フック４７ａは、図７に示すように、連結アングル４７ｂの係合孔（図示せず）に対応して上下２カ所に配設されている。一方連結アングル４７ｂは、ユニット本体４５の左側面壁４５ｃの先端フランジ４５０ｃの前面に上下移動可能に配設されており、先端フランジ４５０ｃには、扉装置１を閉じたときに連結フック４７ａが挿通可能な逃げ穴（図示せず）が開口形成されている。また、レバー４７ｃは操作レバー５１と連動可能に取り付けられている。
【００７１】
このように構成された連結手段４７の動作について説明する。扉装置１を閉じると、図６に示すように連結フック４７ａが左側面壁４５ｃの先端フランジ４５０ｃの逃げ穴（図示せず）を挿通して、連結アングル４７ｂの係合孔（図示せず）内に進入する。そして、図４に示すロック機構５２とロックプレート８１とを係合させるように操作レバー５１を操作すると、この操作に連動してレバー４７ｃが回動し、連結アングル４７ｂを下降させる。これにより、連結アングル４７ｂが連結フック４７ａと係合する。このとき、図６に示すように、左側面壁４５ｃの先端フランジ４５０ｃが連結アングル４７ｂと断熱扉８２の間に挟まれた状態となるので、ユニット本体４５の左側面壁４５ｃが本体８と連結した状態となる。
【００７２】
したがって、例えば展示ユニット３の透明パネル３１を破って金銭を盗もうとしても、金銭処理ユニット４の左側面壁４５ｃが本体８と連結した状態となっているため、硬貨処理装置４２や貨幣処理装置４４を取り出すことができない。また、図２および図６に示すように、扉装置１のロック機構５２は硬貨処理装置４２や貨幣処理装置４４よりも扉本体２の開放側の側端に近い位置に設けられロックされているので、金銭処理ユニット４の右側面壁４５ｂ側からも硬貨処理装置４２や貨幣処理装置４４が盗みとられることがなく、金銭の盗難が確実に防止できる。
【００７３】
次に、展示ユニット３について説明する。
【００７４】
展示ユニット３は、図１及び図８に示すように、アクリル樹脂等で形成された透明パネル３１と、この透明パネル３１に取り付けられた商品選択ボタン３２と、サンプル商品３３ａの展示装置３３と、サンプル商品３３ａを照明するための蛍光灯３４と、これら透明パネル３１と展示装置３３と蛍光灯３４とを取付保持するユニット本体３５（図９参照）とを備えて構成されている。
【００７５】
ユニット本体３５は板金部材で形成され、図９に示すように背面壁３５ａと、この背面壁３５ａに取り付けられ前方に向かって枠状に立ち上がった上下左右の側面壁３５ｂとを備え、この側面壁３５ｂの前端部には図１０に示すように発泡ウレタン等で形成されたユニットシール部材３７が貼りつけられているとともに、側面壁３５ｂの外面には板バネ３５０ｂが取り付けられている。
【００７６】
そして、図１０に示すように透明パネル３１は、この板バネ３５０ｂと側面壁３５ｂとの間に挿入されて、板バネ３５０ｂの押圧力によって側面壁３５ｂの前端部との間でユニットシール部材３７を挟み込んだ状態でユニット本体３５に取付保持される。このユニットシール部材３７によって展示ユニット３内に雨水や虫の進入が防止され、蛍光灯３４や商品選択ボタン３２の電装部分が保護されるとともに、虫や汚れにより展示の美観を損ねないように構成されている。また、透明パネル３１は板バネ３５０ｂによって挟持させて取り付けるように構成しているので、その着脱が容易であり、透明パネル３１の交換作業も容易である。
【００７７】
また、背面壁３５ａには図２に示すように開孔形成された把持孔３６が左右２カ所に設けられており、この把持孔３６によって展示ユニット３の持ち運びが容易になるように構成されている。
【００７８】
また、背面壁３５ａの周縁付近には図２に示すように上部１ヶ所、左右各２ヶ所に開孔形成された装着手段としての取付孔３５０が設けられており、この５ヶ所の取付孔３５０にて扉本体２に形成された下穴（図示せず）にねじ止めすることにより展示ユニット３を扉本体２に装着するように構成されている。
【００７９】
このようにして構成された展示ユニット３を組立て扉本体２に装着する際の動作について説明する。
【００８０】
まず、ユニット本体３５の内面に、展示装置３３と、蛍光灯３４を取り付け、その後、ユニット本体３５の前面に透明パネル３１を取り付けて展示ユニット３を組み立てる。そして、完成した展示ユニット３の把持孔３６を持ち、展示ユニット３の前面の透明パネル３１を扉本体２の背面側から展示開口部２２を覆うように当接させる。この状態で、背面壁３５に形成された装着手段としての複数の取付孔３５０部にて、背面壁３５と扉本体２とをねじ止め固定することで展示ユニット３の装着が完了する。
【００８１】
こうして展示ユニット３が取り付けられた状態では、図９に示すように透明パネル３１が扉本体２の展示開口部２２を覆うとともに、この展示開口部２２の周囲には図１０に示すように発泡ウレタン等で形成されたシール部材２２ａが張り付けられているため、シール部材２２ａが扉本体２と透明パネル３１とに挟まれた状態となり、展示開口部２２のシールがなされる。よって、扉装置１内部への雨水やほこりの進入が防止される。またこのとき、商品選択ボタン３２が展示開口部２２に位置して扉本体２の前面側に露出した状態となるため、図１に示されるように扉装置１の前方から視認及び操作可能な状態となる。
【００８２】
したがって、このように展示ユニット３を構成することで、透明パネル３１、商品選択ボタン３２、展示装置３３及び蛍光灯３４等を備えた展示ユニット３が扉本体２と別の場所でも組み立てることができるので、扉装置１の別の部品の組立作業と並行して組立作業することができるとともに、展示ユニット３を扉本体２に装着するだけで開口部のシールもなされるので、扉装置１の組立作業が非常に容易になる。また、万一悪戯で透明パネルが破壊されたときにも展示ユニットを扉本体から取り外すことで透明パネルの交換作業を容易に行える。
【００８３】
次に、背面側を開閉可能に構成した展示ユニット３について図１１を用いて説明する。この場合、ユニット本体３５は、図１１に示すように展示枠３５ｃと、展示扉３５ｄとを備えて構成されている。展示枠３５ｃと展示扉３５ｄとは右端がヒンジ３５ｅにより連結支持され、展示扉３５ｄはこのヒンジ３５ｅを支点に回動し、展示ユニット３の背面側を開閉可能になっている。また、展示扉３５ｄの前面には照明装置としての蛍光灯３４が取付部材３４ａにより取り付けられるように構成されている。
【００８４】
そして、このように展示ユニット３を構成することにより、展示扉３５ｄを開放することにより展示ユニット３内の清掃作業が容易に行えるとともに、展示扉３５ｄを開放すると、蛍光灯３４が展示ユニット３の後方に露出されるので、蛍光灯３４の交換作業が容易に行える。
【００８５】
次に、展示ユニット３を扉本体２の装着位置に案内するガイド手段を設けた例を図１２を用いて説明する。図１２および図１６に示すように、扉本体２の背面側で展示ユニット３の下面に対応する位置にガイドレール２ａ（ガイド手段）を２本配設し、展示ユニット３の下面には、このガイドレール２ａに対応位置して、ガイドレール２ａとに嵌合するガイド溝３ａを２カ所に形成している。
【００８６】
このように構成することにより、展示ユニット３のガイド溝３ａをガイドレール２ａに嵌合させて押し込むことにより、展示ユニット３が扉本体２の装着位置へと案内されるので、展示ユニット３の装着作業が容易に行えるようになる。
【００８７】
次に、広告ユニット９について説明する。
【００８８】
広告ユニット９は、図１３及び図１４に示すように、アクリル樹脂等で形成された透明パネル９１と、宣伝ポスターや装飾パネル等の広告部材９２と、制御装置等の電装部品９４と、透明パネル９１と広告部材９２と電装部品９４とを取り付けるユニット本体９３とを備えて構成されている。
【００８９】
ユニット本体９３は、図１３に示すように広告枠９３ａと、広告ベース９３ｂとを備えて構成され、広告ベース９３ｂは広告枠９３ａにヒンジ９３０にて回動可能に連結される。
【００９０】
広告枠９３ａの前端部周縁には、複数の板バネ９３０ａが取り付けられている。
【００９１】
そして、図１４および図１５に示すように透明パネル９１は、この板バネ９３０ａと広告枠９３ａの前端部との間に挿入されて、板バネ９３０ａの押圧力によって広告枠９３ａの前端部に押しつけられた状態で保持される。
【００９２】
この場合、透明パネル９１は、広告枠９３ａの前端部に板バネ９３０ａによって挟持させて取り付けるように構成しているので、その着脱が容易であり、透明パネル９１の交換作業も容易である。
【００９３】
また、この広告枠９３ａの下面には、後述するガイドレール２ｂと嵌合するガイド溝９ａが２カ所に設けられている。
【００９４】
また、広告枠９３ａの周縁には図１４に示すように上部２ヶ所、左右各２ヶ所に開孔形成された装着手段としての取付孔９３３が設けられており、この６ヶ所の取付孔９３３にて扉本体２に形成された下穴（図示せず）にねじ止めすることにより、図１５に示す如く広告ユニット９が扉本体２に固定されるように構成されている。
【００９５】
一方、広告ベース９３ｂは、図１３に示すように、後方に開口を有する箱状に形成されたものであって、その前面側には広告部材９２を保持する保持片９３１ａを下端に備えた広告部材配設部９３１が形成され、その背面側には電装部品９４を受け入れる収納空間を有する電装部品配設部９３２が形成されている。そしてこの広告ベース９３ｂは、広告枠９３ａにヒンジ９３０にて回動可能に連結されているため、広告部材９２の着脱は、広告ベース９３ｂを後方に回動させることによりなされるので、その作業が容易である。
【００９６】
このようにして構成された広告ユニット３を組立て、扉本体２に装着する際の動作について説明する。
【００９７】
まず、広告ベース９３ｂの電装部品配設部９３２に電装部品９４を取り付けるとともに、広告部材配設部９３１に広告部材９２を取り付ける。そして、広告枠９３ａと広告ベース９３ｂとをヒンジ９３０にて連結し、透明パネル９１を板バネ９３０ａによって広告枠９３ａの前端部に保持させて広告ユニット９を組み立てる。
【００９８】
そして、完成した広告ユニット９を持ち、透明パネル９１を扉本体２の背面側から広告開口部２４を覆うように当接させる。この状態で、広告枠９３ａに形成された装着手段としての取付孔９３３部にて、図１５に示す如く、広告枠９３ａと扉本体２とをネジ９９３ａにより固定することで広告ユニット３の装着が完了する。
【００９９】
広告ユニット３を装着した状態では、透明パネル９１が扉本体２の広告開口部２４を覆うとともに、この広告開口部２４の周囲には、図１５に示すように発泡ウレタン等で形成されたシール部材２４ａが貼り付けられているため、シール部材２４ａが扉本体２と透明パネル２４とに挟まれた状態となり、広告開口部２４のシールがなされる。よって、広告開口部２４から扉装置１内部への雨水やほこりの進入が防止される。
【０１００】
また、広告ユニット９の装着に際して、本例では図１４および図１６の如く扉本体２に広告ユニット９を装着位置案内するガイドレール２ｂ（ガイド手段）を設けているので、装着作業を容易に行えるようになっている。すなわち、図１４および図１６に示すように、扉本体２の背面側で広告ユニット９の下面に対応する位置にガイド手段としてガイドレール２ｂを２本配設し、広告ユニット９の下面には、上述の如く、このガイドレール２ｂに対応位置して、ガイドレール２ｂとに嵌合するガイド溝９ａを２カ所に形成している。
【０１０１】
このように構成することにより、広告ユニット９のガイド溝９ａをガイドレール２ｂに嵌合させて押し込むことにより、広告ユニット９が扉本体２の装着位置へと案内されるので、広告ユニット９の装着作業が容易に行えるようになる。
【０１０２】
【発明の効果】
本発明によれば、金銭処理装置と接客装置とを備えた金銭処理ユニットを別個に組立られるので、扉装置の別のパーツの組立と並行して組立作業でき、さらに、金銭処理ユニットを扉本体に装着するだけでユニット本体が開口部を覆うとともに接客装置が開口部に臨む状態で配設されるので、扉装置の組立作業の効率が良い。また、金銭処理装置及び接客装置をユニット本体に取り付けたユニット体で構成しているので、悪戯で扉装置が破壊されても金銭処理装置を扉装置から引き出すことが困難であるとともに、ユニット本体を頑強に構成すれば扉本体の強度を上げることなく金銭処理装置付近の破壊を防止することができる。
【０１０３】
また、金銭処理ユニットに加え、透明パネルとこの透明パネルに取付られた商品選択ボタンとサンプル商品の展示装置とを備えた展示ユニットを別個に組立られるので、扉装置の別のパーツの組立と並行して組立作業でき、さらに、展示ユニットを扉本体に装着するだけで透明パネルが開口部を覆うとともに商品選択ボタンが開口部に配設されるので、扉装置の組立作業の効率が上がる。また、万一悪戯で透明パネルが破壊されたときにも展示ユニットを扉本体から取り外すことで透明パネルの交換作業を容易に行える。
【０１０４】
また、金銭処理ユニットに加え、透明パネルと広告部材と電装部品とを備えた広告ユニットを別個に組み立てられるので、扉装置の別のパーツの組み立てと並行して組み立て作業ができ、さらに、広告ユニットを扉本体に装着するだけで透明パネルが開口部を覆うので扉装置の組立作業効率が上がる。また、万一悪戯等で透明パネルが破壊されたときにも、広告ユニットを扉本体から取り外すことで透明パネルの交換作業を容易に行える。
【図面の簡単な説明】
【図１】  本発明の扉装置の正面図である。
【図２】  本発明の扉装置の背面図である。
【図３】  本発明の扉装置の側面断面図であって、（ａ）は金銭処理ユニットを装着した状態の図であり、（ｂ）は金銭処理ユニットを取り外した状態の図である。
【図４】  本発明の扉装置の平面断面図であって、（ａ）は金銭処理ユニットを装着した状態の図であり、（ｂ）は金銭処理ユニットを取り外した状態の図である。
【図５】  カバー部材を設けた金銭処理ユニットの斜視図である。
【図６】  金銭処理ユニットの連結手段を設けた本発明の扉装置の要部平面断面図である。
【図７】  金銭処理ユニットの連結手段を設けた本発明の扉装置の要部斜視図である。
【図８】  展示ユニットの正面図である。
【図９】  本発明の扉装置の平面断面図であって、（ａ）は展示ユニットを装着した状態の図であり、（ｂ）は展示ユニットを取り外した状態の図である。
【図１０】  図９（ａ）におけるＡ部拡大図である。
【図１１】  展示扉を設けた展示ユニットの分解図である。
【図１２】  展示扉を設けた展示ユニットの斜視図である。
【図１３】  広告ユニットの分解図である。
【図１４】  広告ユニットの斜視図である。
【図１５】  広告ユニットの要部平面断面図である。
【図１６】  扉本体の斜視図である。
【符号の説明】
１ 扉装置    ２ 扉本体    ２ａ ガイドレール（ガイド手段）    ２ｂ ガイドレール（ガイド手段）    ３ 展示ユニット    ４ 金銭処理ユニット    ６ ヒンジ    ８ 本体    ９ 広告ユニット    ２１ 金銭開口部    ２１ａ シール部材    ２２ 展示開口部    ２２ａ シール部材    ２３ 返却口部    ２４ 広告開口部    ２４ａ シール部材    ２５ 商品取り出し口    ３１ 透明パネル    ３２ 商品選択ボタン    ３３ 展示装置    ３４ 蛍光灯    ３５ ユニット本体    ３５ｄ 展示扉    ３６ 把持孔    ３７ ユニットシール部材    ４１ 金銭表示器（接客装置）    ４２ 硬貨処理装置（金銭処理装置）    ４３ 金銭投入口装置    ４４ 貨幣処理装置（金銭処理装置）    ４４ａ 貨幣投入口装置    ４５ ユニット本体    ４５ｂ 右側面壁    ４５ｃ 左側面壁    ４５ｆ 把持シャフト    ４６ カバー部材    ４６ｃ 錠（施錠手段）    ４７ 連結手段    ４８ 硬貨返却口装置    ５１ 操作レバー    ５２ ロック機構    ８１ ロックプレート    ９１ 透明パネル    ９２ 広告部材    ９３ ユニット本体    ９４ 電装部品    ３５０ 取付孔（装着手段）    ３５０ｂ 板バネ（弾性部材）    ４０１ 上取付フランジ    ４０２ 下取付フランジ    ９３０ａ 板バネ（弾性部材）    ９３３ 取付孔（装着手段）
【図１】
0003911948.tif 000002
【図２】
0003911948.tif 000003
【図３】
0003911948.tif 000004
【図４】
0003911948.tif 000005
【図５】
0003911948.tif 000006
【図６】
0003911948.tif 000007
【図７】
0003911948.tif 000008
【図８】
0003911948.tif 000009
【図９】
0003911948.tif 000010
【図１０】
0003911948.tif 000011
【図１１】
0003911948.tif 000012
【図１２】
0003911948.tif 000013
【図１３】
0003911948.tif 000014
【図１４】
0003911948.tif 000015
【図１５】
0003911948.tif 000016
【図１６】
0003911948.tif 000017